(57)【要約】      （修正有）【課題】１回の操作で湯と水を、湯が流出口側に入らないよう排出でき、しかも停滞水が給湯管内に混入しないようにした湯水抜栓を提供することを目的とする。【解決手段】弁箱１１側壁に設ける流入口１３、流出口１４、受湯口１６、排水口１５を、弁箱１１内に収容されるピストン２８が上下動して通水し、１回の操作で、給湯管６からの湯が流出口１４側に混入しないように湯水がともに排出される湯水抜栓の、受湯口１６から配管される排湯管８と給湯管６の間の地上部に、排湯管８内の湯が給湯管６内に混入しないよう、逆流防止弁３５を設けたものである。【選択図】図１
2004190456.tif 000002
【特許請求の範囲】
【請求項１】
弁箱側壁にもうける流入口、流出口、受湯口、排水口を、弁箱内に収容されるピストンが上下動して通水し、１回の操作で、給湯管からの湯が流出口側に混入しないように湯水がともに排出される湯水抜栓の、受湯口から配管される排湯管と給湯管の間の地上部に、排湯管内の湯が給湯管内に混入しないよう、逆流防止弁をもうけたことを特徴とする湯水排出装置。
【発明の詳細な説明】
【０００１】
【発明の属する技術分野】
本発明は、寒冷地で水道配管の凍結防止のため、湯と水を１回の操作で同時に排出させるようにした湯水排出装置に関する。
【０００２】
【従来の技術】
従来、寒冷地において、凍結防止のために水まわり配管内の水だけでなく、湯回り配管内の湯も排出する場合には、例えば同一出願人による特願平８−２９４７９８号公報のように、水抜栓の下流側配管内に湯水排出弁をもうけ、水抜栓を排水状態にした後で湯水排出弁を開き、湯と水を同時に排出するようにしたものが多く使用されていた。
【０００３】
しかし上記のものにおいては、使用者が、水抜栓と湯水排出弁の２回の操作をしなければならず、面倒であり、操作方法を間違えば、湯水排出弁から水が噴き出したままになる危険性もあった。また、弁を２個使用しなければならないので、当然コストも上昇する。
【０００４】
そのため、特開平１０−１１４９７４号公報のように、水抜栓の弁箱に受湯口を流出口と別体に設け、地中を配管して給湯器からの湯配管と接続し、水抜栓の１回の操作で、湯と水を同時に、しかも別々に排出する方法が提案されている。上述のものによれば、操作も簡単になり、操作ミスも生じないが、配管内の湯が長期間に亘って流動することがない、停滞水部分が多くなり、その水が給湯管内の湯に混入する恐れもあり、非衛生的である、という問題があった。
【０００５】
【発明が解決しようとする課題】
本発明は上記課題を解決するために出願されたものであり、１回の操作で湯と水を、湯が流出口側に入らないよう排出でき、しかも、停滞水が給湯管内に混入しないようにした湯水排出装置に関する。
【０００６】
【課題を解決するための手段】
上記課題解決のため本発明の湯水排出装置は、弁箱側壁にもうける流入口、流出口、受湯口、排水口を、弁箱内に収容されるピストンが上下動して通水し、１回の操作で、給湯管からの湯が流出口側に混入しないように湯水がともに排出される湯水抜栓の、受湯口から配管される排湯管と給湯管の間の地上部に、排湯管内の湯が給湯管内に混入しないよう、逆流防止弁をもうけたものである。
【０００７】
【発明の実施の形態】
以下、図面に基づいて実施形態を詳細に説明する。図２に本発明の湯水排出装置の設置状態図の１実施例を示すが、図は湯水を床下配管している例であり、地中に埋設された引込管１に接続された湯水抜栓２から地上部に延長される給水管３はチーズ４により分岐され、１つは給湯器５に接続される。給湯器５からの給湯管６は同じく地上部にもうけた連結金具７により、横方向の給湯管６と縦方向の排湯管８に分岐される。
【０００８】
実施例では、湯水抜栓２の操作用ハンドル９は床上に突出しているが、最近は、できるだけ配管を室内に露出させないようにするため、給水管３および給湯管６は床下で適宜な勾配を設けて横配管し、台所、洗面所等、必要箇所に立ち上げることが多くなっており、水抜栓も段々床上に突出させないようになってきている。その場合の操作方法としては、床下に設置された湯水抜栓２を電動遠隔操作、機械的遠隔操作、あるいは、収納蓋を開いて床に手を入れて直接ハンドル９を操作するなど、種々の方法がある。なお、湯水抜栓２には、地中の汚水が入り込まないよう、水と湯の排出口に逆止弁１０，１０’を取り付けている。
【０００９】
図１に本発明の湯水排出装置の一部をなす湯水抜栓２の一実施例を示しているが、弁箱１１側壁に下方から順に、湯の排出口となる排湯口１２、流入口１３、流出口１４、水の排出口となる排水口１５、図２の排湯管８に接続される受湯口１６を設け、内部には、上から順に５個のシリンダ、１７，１８，１９，２０，２１を形成する。排水口１５、排湯口１２には図２の逆止弁１０，１０’が取り付けられる。なお、以後、排水口１５と排湯口１２を一緒にしたようなものにあっては、代表して排水口１５とする。
【００１０】
弁箱１１内には、上記シリンダ１７，１８，１９，２０，２１をそれぞれ摺動する６個の環状パッキン２２，２３，２４，２５，２６，２７を装着するピストン２８が収容されており、内部には、上下端を貫通し、環状パッキン２３，２４間に開口する連通孔２９を穿っている。連通孔２９内の上端部には、万一パイプ３０に水が上昇した場合、排水口１５あるいは排湯口１２に排出するための球弁３１を収容している。
【００１１】
給湯管６と排湯管８の連結金具７は内部に上向きの逆止弁座３２を形成し、リング３３で離脱しないようにした、比重が１より小さい、樹脂製逆止ボール３４を収容し、１種の逆流防止弁３５を形成しており、排湯管８内の停滞水が給湯管６側に混入しないようにしている。尚、逆止ボール３４は熱湯が直接当たるため、耐熱性に優れたものを使用することが望ましいが、横用給湯管６を、縦用給湯管６の途中にチーズをもうけ、逆止ボール３４から適宜離して接続し、熱の影響を軽減するようにしても良い。
【００１２】
図は通水状態を示しており、流入口１３からの水は流出口１４、図２の給水管３を通って、給湯器５あるいはチーズ４で分岐されて台所等、他の末端器具にまで達している。給湯管６からの湯は連結金具７で分岐され、排湯管８側と、やはり台所等、他の末端器具にまで達している。この状態では、環状パッキン２２，２３および２５，２７により湯水の漏水は防止されている。
【００１３】
この状態から、凍結防止のため配管内の湯水を抜きたいときには、図２のハンドル９を操作してロッド３６を介してハンドル９に連結されたピストン２８を上昇させると良く、まず環状パッキン２６がシリンダ２０に密着して流入口１３からの水を遮断し、その後で環状パッキン２５と２３がそれぞれシリンダ１９，１８から離脱し、環状パッキン２４はシリンダ１８に密着しているため、給水管３内の水は排水口１５、給湯管６内の湯は逆止ボール３４を押し下げ、連通孔２９を通り、排湯口１２から、それぞれ地中に排出される。この時、球弁３１により、
パイプ３０内への湯の上昇が防止される。
【００１４】
排水口１５、排湯口１２には図２のように逆止弁１０，１０’が取り付けられているため、排出された湯水が弁箱１１内に逆流することはない。また、この状態では環状パッキン２４がシリンダ１８に密着しているため、汚染水と考えられている湯が、流出口１４側に入り込むことはない。
【００１５】
図３に本発明の弁箱の他の実施例を排水状態で示しているが、図１の排水口１５、排湯口１２を一緒にし、湯も水も紙面と直角方向にもうけた排水口１５から排出させようというものであり、そのかわりピストン２８の連通孔２９内に逆止球弁３７を収容し、受湯口１６から排水口１５へ排出される湯が、流出口１４側に侵入することを防止するようにしている。
【００１６】
すなわち、流出口１４からの水は、連通孔２９を通って逆止球弁３７を上昇させ、排水口１５へと排出されているが、この時、湯も同時に排水口１５から排出されており、もし、湯の排出勢いが水のそれに勝っているときは、逆止球弁３７が下降して、弁座３８に密着し、流出口１４側に湯は入り込まないようになっている。
【００１７】
排水終了後は、逆止球弁３７が弁座３８に密着して流出口１４内に地中の汚水が入り込むことはないが、受湯口１６を介して給湯管６側に汚水が入り込むことのないよう、排水口１５には逆止弁１０を取り付けている。
【００１８】
本実施例のものは、流入口１３を流出口１４の上方に位置させ、給水管内の水をピストン２８内を通って排水させるようにしたので、図１のものより環状パッキンを１本少なくすることができ、湯が流出口１４側に入り込むことなく、排湯口１２を省略できるので、それだけコストが安く付くという利点がある。
【００１９】
本発明においては、給湯管６と排湯管８の湯が混合しないよう、比重が１より小さい樹脂状の球を使用しているので、構造が非常に単純で、かつ、水残りの少ない逆流防止弁を提供できるが、勿論それに拘ることなく、弁をばねで上向きに押圧した逆流防止弁を使用することもできる。また、本発明湯水抜栓２の弁構造および操作機構は種々のものが考えられ、弁座を有するもの、作動用ネジを使用せず、カム機構を用いて操作を簡単にしたもの等、自由に設計変更可能である。
【発明の効果】
以上のように本発明においては、弁箱にもうけた受湯口部分で湯を遮断し、排水時は、ピストンの移動で、湯と水を、湯が流出口側に混入しないよう、１回の操作で地中に排出することができ、操作ミスにより、水を漏水させてしまうという事故も生ぜず、さらに、排湯管内の停滞水が給湯管内に混入せず、衛生的である、という効果を有する。
【図面の簡単な説明】
【図１】本発明の湯水排出装置の１実施例を示す、通水常態における縦断面図である。
【図２】 図１の湯水排出装置の設置状態図である。  
【図３】本発明の一部をなす湯水抜栓の他の実施例を示す、排水状態における縦断面図である。
【符号の説明】
２              湯水抜栓
３              給水管
６              給湯管
７              連結金具
８              排湯管
１１              弁箱
１２              排湯口
１３              流入口
１４              流出口
１５              排水口
１６              受湯口
２８              ピストン
３５              逆流防止弁
【図１】
2004190456.tif 000003
【図２】
2004190456.tif 000004
【図３】
2004190456.tif 000005